(57)【要約】【課題】エクステンション用まつ毛の装着による美容効果をより長時間持続させる。【解決手段】自まつ毛１０に装着されるエクステンション用まつ毛２０の装着方法では、まず、自まつ毛１０にカール部１２の形成を行う。そして、自まつ毛１０に形成されたカール部２０をエクステンション用まつ毛２０で維持した状態でエクステンション用まつ毛２０を自まつ毛１０に固定する。このように、エクステンション用まつ毛２０そのものが自まつ毛１０のカール部１２の状態を維持することで、自まつ毛１０が立ち上がった状態がより長時間持続する。【選択図】図３
2018127725.tif 000002
【特許請求の範囲】
【請求項１】
自まつ毛に装着されるエクステンション用まつ毛の装着方法であって、
前記自まつ毛に形成されたカールを前記エクステンション用まつ毛で維持した状態で当該エクステンション用まつ毛を当該自まつ毛に固定するエクステンション用まつ毛の装着方法。
【請求項２】
前記エクステンション用まつ毛の端部に付着させた接着剤を前記自まつ毛の前記カールの内側に付け、当該自まつ毛の付根側に向けて当該端部を移動させる請求項１に記載のエクステンション用まつ毛の装着方法。
【請求項３】
前記エクステンション用まつ毛が前記自まつ毛の前記カールの少なくとも一部に重なるように当該エクステンション用まつ毛を当該自まつ毛に固定する請求項１に記載のエクステンション用まつ毛の装着方法。
【請求項４】
前記自まつ毛の前記カールを弓として、前記エクステンション用まつ毛が弦となる関係で、当該エクステンション用まつ毛を当該自まつ毛に固定する請求項１に記載のエクステンション用まつ毛の装着方法。
【請求項５】
自まつ毛に装着されるエクステンション用まつ毛の装着方法であって、
前記自まつ毛に形成されたカールに対して前記エクステンション用まつ毛を交差させ、当該カールの内側と当該エクステンション用まつ毛との対向部に接着剤を設けて、当該エクステンション用まつ毛を当該自まつ毛に固定するエクステンション用まつ毛の装着方法。
【発明の詳細な説明】
【技術分野】
【０００１】
本発明は、自まつ毛に対するエクステンション用まつ毛の装着方法に関するものである。
【背景技術】
【０００２】
例えば人工まつ毛等のエクステンション用まつ毛を自まつ毛に装着することによって、まつ毛全体のボリュームを増加させるまつ毛エクステンションが知られている。
特許文献１には、少なくとも根本部にザラザラした表面部が形成された人工まつげ本体部を用意する工程と、人工まつげ本体部の根本部に接着剤を塗布する工程と、人工まつげ本体部の根本部に接着剤が塗布された状態で、接着剤をまつげに付ける工程とを含む、エクステンション用まつげの取付け方法が記載されている。
【先行技術文献】
【特許文献】
【０００３】
【特許文献１】特開２０１４−１６９５２４号公報
【発明の概要】
【発明が解決しようとする課題】
【０００４】
ところで、自まつ毛の生え方には個人差があり、例えば上まつ毛において、自まつ毛が下向きに生えている場合もある。このような下向きの自まつ毛に対して、エクステンション用まつ毛を装着しても、まつ毛全体が下がった印象になってしまう。
そこで、例えば、化粧具等を用いて自まつ毛にカールを形成し、自まつ毛を持ち上げてからエクステンション用まつ毛を装着することが考えられる。ただし、エクステンション用まつ毛をカールが形成された自まつ毛に単に装着しても、時間の経過に伴って自まつ毛が下がってしまい、エクステンション用まつ毛の装着による美容効果を長い時間持続することが難しかった。
【０００５】
そこで、本発明は、エクステンション用まつ毛の装着による美容効果をより長時間持続させることを目的とする。
【課題を解決するための手段】
【０００６】
かかる目的のもと、本発明は、自まつ毛に装着されるエクステンション用まつ毛の装着方法であって、前記自まつ毛に形成されたカールを前記エクステンション用まつ毛で維持した状態で当該エクステンション用まつ毛を当該自まつ毛に固定するエクステンション用まつ毛の装着方法である。
そして、前記エクステンション用まつ毛の端部に付着させた接着剤を前記自まつ毛の前記カールの内側に付け、当該自まつ毛の付根側に向けて当該端部を移動させることを特徴とする。
また、前記エクステンション用まつ毛が前記自まつ毛の前記カールの少なくとも一部に重なるように当該エクステンション用まつ毛を当該自まつ毛に固定することを特徴とする。
さらに、前記自まつ毛の前記カールを弓として、前記エクステンション用まつ毛が弦となる関係で、当該エクステンション用まつ毛を当該自まつ毛に固定することを特徴とする。
また、かかる目的のもと、本発明は、自まつ毛に装着されるエクステンション用まつ毛の装着方法であって、前記自まつ毛に形成されたカールに対して前記エクステンション用まつ毛を交差させ、当該カールの内側と当該エクステンション用まつ毛との対向部に接着剤を設けて、当該エクステンション用まつ毛を当該自まつ毛に固定するエクステンション用まつ毛の装着方法である。
【発明の効果】
【０００７】
本発明によれば、エクステンション用まつ毛の装着による美容効果をより長時間持続させることが可能になる。
【図面の簡単な説明】
【０００８】
【図１】（Ａ）および（Ｂ）は、本実施形態のエクステンション用まつ毛の装着方法の概要の説明図である。
【図２】（Ａ）〜（Ｃ）は、本実施形態のカール工程の説明図である。
【図３】（１）〜（４）は、本実施形態の取付工程の説明図である。
【図４】（Ａ）〜（Ｄ）は、変形例のエクステンション用まつ毛の装着方法の説明図である。
【発明を実施するための形態】
【０００９】
以下、添付図面を参照して、本発明の実施形態について詳細に説明する。
図１は、本実施形態のエクステンション用まつ毛の装着方法の概要の説明図である。
図１（Ａ）および図１（Ｂ）に示すように、まつ毛全体１は、美容施術を受ける人のまつ毛である自まつ毛１０、およびエクステンション用まつ毛２０（以下、エクステまつ毛２０と呼ぶ）の複数の集合によって形成されている。
本実施形態のエクステンション用まつ毛の装着方法では、自まつ毛１０を持ち上げる（上向きにする）リフトアップと、自まつ毛１０にエクステまつ毛２０を取り付けて、まつ毛全体１のボリュームを増加させるエクステンションとを行う。
【００１０】
そして、本実施形態のエクステンション用まつ毛の装着方法によって、図１（Ａ）に示すように、自まつ毛１０が下がった状態、かつ、まつ毛全体１のボリュームが少ない状態から、図１（Ｂ）に示すように、自まつ毛１０が持ち上がり、かつ、まつ毛全体のボリュームが増した状態になる。このように、本実施形態のエクステンション用まつ毛の装着方法を行うことで、まつ毛全体１が根元から綺麗に上向きになり、また、不自然さのない自然な仕上がりとなる。
【００１１】
なお、本実施形態において、エクステまつ毛２０の最大径は、自まつ毛１０の最大径と同径、または、自まつ毛１０の最大径よりも大きい。本実施形態のエクステンション用まつ毛の装着方法では、後述するように、エクステまつ毛２０によって、自まつ毛１０のカールの状態を維持させる。そのため、本実施形態では、エクステまつ毛２０の剛性が高くなるように、自まつ毛１０よりも太いエクステまつ毛２０を用いている。
ただし、自まつ毛１０のカールを維持することが可能なものであれば、自まつ毛１０よりも細いエクステまつ毛２０を用いても構わない。
【００１２】
また、本実施形態では、エクステまつ毛２０の全長は、自まつ毛１０の付根から毛先までの長さよりも長くなっている。ただし、エクステまつ毛２０は、自まつ毛１０よりも全長が短くても良い。
【００１３】
さらに、本実施形態のエクステまつ毛２０には、例えば樹脂を材料とする人工毛を用いることができる。ただし、エクステまつ毛２０としては、樹脂を材料とする人工毛に限らず、他の材料を用いても良い。
【００１４】
次に、本実施形態のエクステンション用まつ毛の装着方法の流れについて説明する。
なお、本実施形態の説明においては、上まつ毛を代表例として説明するが、下まつげについても同様である。
【００１５】
本実施形態のエクステンション用まつ毛の装着方法は、施術前の自まつ毛１０をきれいにする前処理工程と、自まつ毛１０をカールさせるカール工程と、エクステまつ毛２０に接着剤を付着させる付着工程と、エクステまつ毛２０を自まつ毛１０に取り付ける取付工程と、を有している。
【００１６】
（前処理工程）
前処理工程では、自まつ毛１０にエクステまつ毛２０を取り付けるにあたって、まつ毛全体１に対して事前に必要な処理を施す。具体的には、前処理工程では、エタノール等の消毒液等を用いて、まつ毛全体１に付着している油分や付着物等を取り除く。
【００１７】
（カール工程）
図２は、本実施形態のカール工程の説明図である。
図２（Ａ）に示すように、カール工程では、例えばアイラッシュカーラー等の化粧具５０を用いて自まつ毛１０の一部を挟んで、自まつ毛１０にカールの形成を行う。そして、本実施形態のカール工程では、自まつ毛１０の毛先を上向きにする。
【００１８】
また、本実施形態では、目尻から目頭にかけて、まつ毛全体１を、目尻側の第１領域Ｒ１、中央部の第２領域Ｒ２、および目頭側の第３領域Ｒ３の３つの領域に分割する。そして、本実施形態のカール工程では、カールの形成を領域毎に順に行う。
なお、本実施形態のカール工程では、まつ毛全体１の全幅の１／３程度の幅の挟み部５１を有する化粧具５０を用いている。
【００１９】
まず、１本の自まつ毛１０に対し、図２（Ｂ）に示すように、自まつ毛１０に対して長さ方向に位置が異なる第１挟部Ｃ１と第２挟部Ｃ２との２箇所に化粧具５０の挟み部５１をそれぞれ当てる。第１挟部Ｃ１は、自まつ毛１０の付根近傍（付根から約１ｍｍ離れた箇所）である。また、第２挟部Ｃ２は、第１挟部Ｃ１から所定の距離（第１挟部Ｃ１からさらに約１ｍｍ離れた箇所）である。
なお、本実施形態では、自まつ毛１０の中央部（付根から毛先までの半分）よりも付根側に対して挟み部５１を当てる。
【００２０】
そして、図２（Ｃ）に示すように、カールが施された自まつ毛１０は、付根側において直線状に形成される第１直線状部１１と、カールしているカール部１２と、毛先側において直線状に形成される第２直線状部１３とがそれぞれ形成された状態になる。なお、本実施形態において、カール部１２は、自まつ毛１０において他の箇所よりもカール（曲率）が最も大きくなっている部分である。また、本実施形態において、カール部１２は、自まつ毛１０の長さ方向において３ｍｍ〜４ｍｍの幅で形成される。
【００２１】
以下の説明では、図２（Ｃ）に示すように、自まつ毛１０においてカール部１２の付根側の端部を付根側カール端部１２ａと呼び、自まつ毛１０においてカール部１２の毛先側の端部を毛先側カール端部１２ｂと呼ぶ。そして、本実施形態においては、付根側から毛先側に向けて挟み部５１を順に位置させてカールを形成する際、付根側カール端部１２ａがカールの上げ始めとなり、毛先側カール端部１２ｂがカールの上げ終わりとなる。
【００２２】
また、本実施形態では、図２（Ｃ）に示すように、自まつ毛１０にカール部１２を形成することで、毛先が顔の上側であって付根側を向くようにする。なお、本実施形態のカール工程では、自まつ毛１０が、例えば直角に折れ曲がったり、例えばＶ字状に折れたりしないようにしている。
【００２３】
次に、本実施形態のカール工程の具体的な手順を説明する。
カール工程では、まず、目尻側の第１領域Ｒ１（図２（Ａ）参照）の自まつ毛１０の第１挟部Ｃ１（図２（Ｂ）参照）に対して、化粧具５０による挟み込みを行う。第１挟部Ｃ１に対する化粧具５０による挟み込みは、２回〜３回行う。その後、第１領域Ｒ１の自まつ毛１０の第２挟部Ｃ２（図２（Ｂ）参照）に対して、化粧具５０による挟み込みを行う。第２挟部Ｃ２に対する化粧具５０による挟み込みは、２回〜３回行う。
【００２４】
そして、中央部の第２領域Ｒ２の自まつ毛１０においても、第１領域Ｒ１と同様に、第１挟部Ｃ１および第２挟部Ｃ２に対する化粧具５０による挟み込みを行う。
さらに、目頭側の第３領域Ｒ３の自まつ毛１０においても、第１領域Ｒ１および第２領域Ｒ２と同様に、第１挟部Ｃ１および第２挟部Ｃ２に対する化粧具５０による挟み込みをそれぞれ行う。
【００２５】
なお、第１領域Ｒ１の自まつ毛１０のカール部１２の形成が完了した後に、第２領域Ｒ２のカール部１２の形成を行う際、また、第２領域Ｒ２に対するカール部１２の形成が完了した後に、第３領域Ｒ３におけるカール部１２の形成を行う際、それぞれ既に終わった領域の一部にオーバーラップしながら新たな領域に対するカール部１２の形成を行う。このように領域をオーバーラップしてカール部１２の形成を行うことで、カール部１２の形成が行われていない部分を無くし、自まつ毛１０のカールを確実に行うようにしている。
【００２６】
（付着工程）
付着工程では、エクステまつ毛２０の根元側端部２０Ｒ（後述の図３（１）参照）に接着剤を付着させる。接着剤としては、特に限定されないが、例えば瞬間的な接着が可能な溶剤等を用いることができる。また、接着剤には、例えば自まつ毛１０の色が黒色である場合には、黒色や透明色を呈する接着剤を用いるなど、自まつ毛１０の色に対応する色の接着剤を用いることができる。
本実施形態の付着工程では、エクステまつ毛２０の根元側端部２０Ｒに接着剤を球状に付着させる。この接着剤の量は、後述する対向領域４０（後述の図３（３）参照）に過不足無く充填される量に基づいて定められる。従って、本実施形態にて１本のエクステまつ毛２０に用いる接着剤の量は、対向領域４０を形成せずにエクステまつ毛２０を自まつ毛１０に単に接着させる従来の施術と比較して多くなっている。
【００２７】
（取付工程）
図３は、本実施形態の取付工程の説明図である。
取付工程では、１本の自まつ毛１０に対して１本のエクステまつ毛２０を取り付ける。この際に、本実施形態の取付工程では、カール工程にてカールが施された自まつ毛１０のカール形状が維持されるようにする。
本実施形態の取付工程では、まず、図３（１）に示すように、例えばツイーザー等を用いて１本にかき分けられた自まつ毛１０の毛先側カール端部１２ｂであってカール部１２の内側（凹側）に、エクステまつ毛２０の根元側端部２０Ｒの接着剤３０を付ける。
【００２８】
なお、自まつ毛１０のカール部１２の内側（凹側）に根元側端部２０Ｒの接着剤３０を付けることで、例えば自まつ毛１０のカール部１２の外側（凸側）から接着剤３０を付けた場合と比較して、後述するようにエクステまつ毛２０を移動させた際に、自まつ毛１０に接着剤３０が局所的に溜まらず接着剤３０が伸びる。
【００２９】
その後、図３（２）に示すように、エクステまつ毛２０の根元側端部２０Ｒを、カール部１２に沿って、自まつ毛１０の付根に向けて移動させる（図３（２）中の矢印参照）。このエクステまつ毛２０の移動に伴って、根元側端部２０Ｒに付着している接着剤３０が自まつ毛１０の長さ方向に伸び広がる。また、エクステまつ毛２０をカール部１２の内側にて自まつ毛１０の毛先側から付根側に移動させることで、自まつ毛１０の先端側が付根側に引っ張られてカール部１２の形成がより助長される。
【００３０】
そして、図３（３）に示すように、エクステまつ毛２０の根元側端部２０Ｒを、自まつ毛１０のカール部１２の付根側カール端部１２ａまで移動させる。そして、エクステまつ毛２０の根元側端部２０Ｒが付根側カール端部１２ａに到達したら、エクステまつ毛２０の根元側端部２０Ｒの移動を止める。
このとき、カール部１２とエクステまつ毛２０とが対向することで形成される領域（以下、対向領域４０と呼ぶ）が接着剤３０によって満たされた状態になっている。
【００３１】
なお、本実施形態では、エクステまつ毛２０の根元側端部２０Ｒが自まつ毛１０の付根側カール端部１２ａにおいて大きく飛び出さないようにしている。本実施形態の取付工程では、エクステまつ毛２０の根元側端部２０Ｒが自まつ毛１０上に位置している。
【００３２】
最終的に、接着剤３０が硬化することで、図３（４）に示すように、エクステまつ毛２０が自まつ毛１０に固定される。
本実施形態では、自まつ毛１０のカール部１２とエクステまつ毛２０とは、毛先側にて交差する第１接続部４１と付根側にて接続する第２接続部４２との２点でつながっている。すなわち、本実施形態では、自まつ毛１０のカール部１２を弓（弧）に見立てた場合に、エクステまつ毛２０が弦の関係になっている。そして、自まつ毛１０のカール部１２とエクステまつ毛２０とは、例えば弓と弦との関係において弦によって弓がしなることと同様の作用が生じている。これによって、本実施形態では、エクステまつ毛２０によって、自まつ毛１０のカール部１２の形状が維持され、ひいては、自まつ毛１０が上向きに持ち上がった状態が維持される。
【００３３】
また、本実施形態では、対向領域４０に接着剤３０が充填された状態で接着剤３０が硬化することで、エクステまつ毛２０と自まつ毛１０との接着がより強固になる。そして、エクステまつ毛２０による自まつ毛１０のカールの維持がより強く、また、より長く持続する。
【００３４】
〔変形例〕
図４は、変形例のエクステンション用まつ毛の装着方法の説明図である。
上述したように、本実施形態のエクステンション用まつ毛の装着方法では、自まつ毛１０のカール部１２の状態が維持されれば良い。従って、上述した実施形態に限定されず、以下のような態様であっても構わない。
図４（Ａ）に示すように、第１接続部４１が毛先側カール端部１２ｂよりも毛先側に位置し、第２接続部４２が付根側カール端部１２ａよりも付根側に位置していても良い。すなわち、第１接続部４１および第２接続部４２は、カール部１２の領域外にそれぞれ位置していても良い。
【００３５】
また、図４（Ｂ）に示すように、第１接続部４１が毛先側カール端部１２ｂよりも付根側に位置し、第２接続部４２が付根側カール端部１２ａよりも毛先側に位置していても良い。すなわち、第１接続部４１および第２接続部４２は、カール部１２の領域内にそれぞれ位置していても良い。
【００３６】
なお、図４（Ａ）および図４（Ｂ）の態様の他、第１接続部４１および第２接続部４２のうち一方がカール部１２の領域内に位置し、他方がカール部１２の領域外に位置していても良い。
さらに、図４（Ａ）および図４（Ｂ）において、エクステまつ毛２０の根元側端部２０Ｒが自まつ毛１０上に位置していても良いし、根元側端部２０Ｒが自まつ毛１０の外側（凸側）に突き抜けていても良い。
【００３７】
また、図４（Ｃ）に示すように、エクステまつ毛２０の根元側端部２０Ｒが自まつ毛１０上に位置していなかったり自まつ毛１０と交差していなかったりする状態で、接着剤３０によって位置が固定されているだけでも良い。
【００３８】
また、図４（Ｄ）に示すように、自まつ毛１０のカール部１２とエクステまつ毛２０とは、第１接続部４１および第２接続部４２にてそれぞれ局所的に接着剤３０によって固定されていても良い。この局所的な固定は、図４（Ａ）および図４（Ｂ）に示す第１接続部４１および第２接続部４２の位置にて同様に行っても良い。
【００３９】
以上の変形例も含めて、本実施形態のエクステンション用まつ毛の装着方法では、自まつ毛１０のカール部１２を含むべく、カール部１２の少なくとも一部に重なるように接着剤３０によってエクステまつ毛２０を固定すれば良い。すなわち、本実施形態のエクステンション用まつ毛の装着方法では、自まつ毛１０に対して化粧具５０の挟み部５１（図２参照）が当てられた箇所を含むように接着剤３０によってエクステまつ毛２０を取り付ければ良い。
また、エクステまつ毛２０を自まつ毛１０のカール部１２に交差（例えば、第１接続部４１）させることでエクステまつ毛２０の根元側端部２０Ｒをカール部１２の内側（凹側）に位置させ、カール部１２にてエクステまつ毛２０と自まつ毛１０とを接着剤３０で固定させれば良い。
これによって、自まつ毛１０のカール部１２の状態がより強く維持され、より長い時間持続する。
【００４０】
また、本実施形態のカール工程にて自まつ毛１０にカール部１２を形成する工程は、必須の工程ではない。例えば、自まつ毛１０に予めカールが形成されている場合には、そのカールを維持するようにエクステまつ毛２０を固定すれば良い。また、自まつ毛１０をカールさせながら、自まつ毛１０に接着剤３０が付着したエクステまつ毛２０を取り付けても良い。さらに、図３（１）および図３（２）を参照しながら説明したように、自まつ毛１０の毛先側に接着剤３０を付着させ、付根側に自まつ毛１０を引っ張ることでカールを形成し、そのまま、引っ張りにより形成されたカールをエクステまつ毛２０によって維持しても良い。
【００４１】
なお、本実施形態では、１本の自まつ毛１０に対して１本のエクステまつ毛２０を取り付けているが、例えば１本の自まつ毛１０に対して複数のエクステまつ毛２０を取り付けても良い。
また、エクステまつ毛２０は、例えば図２（Ａ）に示す第１領域Ｒ１、第２領域Ｒ２および第３領域Ｒ３のいずれかの領域のみなど、まつ毛全体１のうち一部にだけ装着しても良い。
【符号の説明】
【００４２】
１０…自まつ毛、１２…カール部、２０…エクステンション用まつ毛（エクステまつ毛）、３０…接着剤
【図１】
2018127725.tif 000003
【図２】
2018127725.tif 000004
【図３】
2018127725.tif 000005
【図４】
2018127725.tif 000006